(57)【要約】      （修正有）【課題】より簡易な構成によってマーブリング模様を作成する。【解決手段】媒体にマーブリング模様Ａ２を描画するマーブリング模様の作成方法であって、所定の画像Ａ１を、水性インクを用いて撥水性シート４０に印刷する工程と、シート４０に印刷された画像Ａ２の上に、転写溶液を塗付する工程と、転写溶液が塗付された画像Ａ２を、シート４０から媒体に転写する。【選択図】図７
2019025667.tif 000002
【特許請求の範囲】
【請求項１】
媒体にマーブリング模様を描画するマーブリング模様の作成方法であって、
所定の画像を、水性インクを用いて撥水性シートに印刷する工程と、
前記シートに印刷された画像の上に、転写溶液を塗付する工程と、
前記転写溶液が塗付された画像を、前記シートから前記媒体に転写する工程と、
を含むことを特徴とするマーブリング模様の作成方法。
【請求項２】
コンピュータのディスプレイに表示されたモアレ縞を含む画像を撮像する工程を含み、
前記所定の画像は、前記モアレ縞を含む画像であること、
を特徴とする請求項１記載のマーブリング模様の作成方法。
【発明の詳細な説明】
【技術分野】
【０００１】
本発明は、マーブリング模様の作成方法に関する。
【背景技術】
【０００２】
マーブリングは、ゴム樹脂の水溶液に、水よりも比重が軽く水分に反発する描画材（墨汁や絵の具等）を落とし、水面上に描かれる複雑なマーブリング模様（いわゆる大理石に見られる表面模様）を、紙、皮革、陶器の素地、もしくは床材や壁材などの媒体に写し取る技法をいう。
【０００３】
これに関する技術として、例えば特許文献１、２には、コンピュータを利用してマーブリング模様を作成するためのマーブリング模様作成装置が記載されている。
【先行技術文献】
【特許文献】
【０００４】
【特許文献１】特開２０００−２９３６９７号公報
【特許文献２】特開平１０−２８３４８６号公報
【発明の概要】
【発明が解決しようとする課題】
【０００５】
しかしながら、特許文献１、２に記載される発明においては、マーブリング模様作成装置という設備が必要となり、画家や陶芸家などの芸術家、趣味で楽しむ個人又は小規模事業者等にとっての敷居は必ずしも低くない。
【０００６】
本発明は、上記の点に鑑み提案されたものであり、本発明の目的は、より簡易な構成によってマーブリング模様を作成することにある。
【課題を解決するための手段】
【０００７】
上記の課題を解決するため、本発明に係るマーブリング模様の作成方法は、媒体にマーブリング模様を描画するマーブリング模様の作成方法であって、所定の画像を、水性インクを用いて撥水性シートに印刷する工程と、前記シートに印刷された画像の上に、転写溶液を塗付する工程と、前記転写溶液が塗付された画像を、前記シートから前記媒体に転写する工程と、を含む。
【発明の効果】
【０００８】
本発明の実施の形態によれば、より簡易な構成によってマーブリング模様を作成することができる。
【図面の簡単な説明】
【０００９】
【図１】本実施形態に係るマーブリング模様作成する全体工程を示す図である。
【図２】本実施形態に係る工程１を示す図である。
【図３】本実施形態に係るモアレ画像例１を示す図である。
【図４】本実施形態に係るモアレ画像例２を示す図である。
【図５】本実施形態に係る画像編集例１を示す図である。
【図６】本実施形態に係る画像編集例２を示す図である。
【図７】本実施形態に係る工程２を示す図である。
【図８】本実施形態に係る印刷画像例を示す図である。
【図９】本実施形態に係る工程３を示す図である。
【図１０】本実施形態に係る転写溶液塗布画像例を示す図である。
【図１１】本実施形態に係る画像転写媒体例１を示す図である。
【図１２】本実施形態に係る画像転写媒体例２を示す図である。
【発明を実施するための形態】
【００１０】
図１は、本実施形態に係るマーブリング模様作成する全体工程を示す図である。以下、媒体にマーブリング模様を描画するためのマーブリング模様作成方法に関し、工程ごとに分けて、図面を参照しつつ詳細に説明する。
【００１１】
＜工程１＞
図２は、本実施形態に係る工程１を示す図である。工程１においては、原画像のデジタル撮像に基づいて、第１のマーブリング模様を得る。
【００１２】
ＰＣ（Personal Computer）１０は、予め任意の画像Ａを有している。画像Ａは、マーブリング模様の元となる原画像のデジタルデータである。作成者は、スマートフォーンやデジタルカメラなどの撮像装置２０を用いて、ＰＣ１０のディスプレイ１１上に表示されている画像Ａを撮像することで、撮像装置２０は画像Ａ１を得る。
【００１３】
図３は、本実施形態に係るモアレ画像例１を示す図である。また、図４は、本実施形態に係るモアレ画像例２を示す図である。図３、４に示されるように、撮像装置２０を用いてＰＣ１０のディスプレイ１１上に表示された画像Ａを撮像することで、モアレ縞を有する画像Ａ１（モアレ画像ともいう）が得られる。
【００１４】
規則正しい編み目のような模様がある被写体を撮影すると、被写体本来の模様とは無関係な縞模様が現れることがあり、これはモアレ縞として知られている。また、規則正しい模様をデジタル写真画像にした場合も、画像の画素解像度と模様の周波数のずれが原因で同様の縞模様が発生する。モアレ縞は規則正しい模様を持った被写体とデジタルカメラ内に組み込まれた規則正しい構造のＣＣＤとの二次元的なうなり現象である。なお、この現象はデジタルカメラ固有の現象であり、フィルムカメラでは発生しない。
【００１５】
図５は、本実施形態に係る画像編集例１を示す図である。デジタル画像として得られた画像Ａ１に対して、明度やコントラストなどのパラメータを調整（変更）する画像補正を実行することにより、画像Ａ１のモアレ縞（一種のマーブリング模様）をより際立たせた画像Ａ１−２を得ることが可能である。なお、画像編集により画像Ａ１の画像それ自体が変更されるものではない。
【００１６】
図６は、本実施形態に係る画像編集例２示す図である。更に画像Ａ１−２において、モアレ縞が特に顕著に表れている画像領域（例えば、Ｐ１、Ｐ２）のみを切り出して、切り出された画像領域をつなぎ合わせた画像Ａ１−３を作成することで、画像Ａ１−２のモアレ縞（一種のマーブリング模様）を一層際立たせた画像Ａ１−３得ることが可能である。
【００１７】
なお、得られたモアレ縞を有する画像Ａ１に対して、図５の画像編集例１又は図６の画像編集例２を実施するか否か、またその実施順序は、作成者の任意工程である。例えば、画像Ａ１のモアレ縞（マーブリング模様）の程度などに応じて、何れか一方又は両方を実施してもよいし、何れも実施しなくともよい。
【００１８】
＜工程２＞
図７は、本実施形態に係る工程２を示す図である。工程２においては、水性インクジェット印刷に基づいて、第２のマーブリング模様を得る。
【００１９】
作成者は、水性インクジェット式の印刷装置（プリンター）３０を用いて画像Ａ１（ないし画像Ａ１−２又は画像１−３）を、例えばＯＨＰシートなど撥水性の高いシート４０に印刷する。これによりシート４０上において、画像Ａ２が得られる。
【００２０】
ここで、印刷装置３０に用いられるインクは水性インクである。また、シート４０の具体的な材料としては、例えば、ポリエチレン樹脂、ポリプロピレン樹脂、ポリ塩化ビニル樹脂、ポリスチレン樹脂、フッ素樹脂等のプラスチック製のものや、セロファン等のものとを使用することができる。
【００２１】
インクが定着するためにはインク受容層のあるシートが必要であり、撥水性の高いシート４０には水性インクは定着しない。このため、印刷時に画像Ａ１の画像を形成する水性インクがシート４０上で弾かれる性質を利用して、画像Ａ１よりも複雑な第２のマーブリング模様を有する画像Ａ２がシート４０上に得られる。
【００２２】
図８は、本実施形態に係る印刷画像例を示す図である。図８に示されるように、撥水性の高いシート４０上に画像Ａ１が水性インクジェットで印刷されることで、シート４０上で水性インクが滲んで広がり、より複雑なマーブリング模様を有する画像Ａ２がシート４０上に得られる。
【００２３】
＜工程３＞
図９は、本実施形態に係る工程３を示す図である。工程３においては、転写溶液の塗布に基づいて、第３のマーブリング模様を得る。
【００２４】
具体的に、作成者は画像Ａ２が印刷されたシート４０上、粘着性のある例えばのり状の転写溶液（転写用液体）を画像Ａ２に塗布する。転写溶液は、以下に後述する水溶液系や水分散系の接着剤である。水溶液系や水分散系の接着剤を転写溶液として用いると、シート４０上で画像Ａ２を形成している水性インクが当該接着剤に分散し又は溶け込んで、一層複雑なマーブリング模様を有する画像Ａ３がシート４０上に得られる。また、塗布方法は、転写溶液の点滴を垂らしたり、スプレー等で拭き付ける等がある。
【００２５】
（水溶液系）
・でんぷん系接着剤：主成分は植物由来のデンプン
・膠：主成分は動物由来のゼラチン
・α-オレフィン系接着剤：主成分はイソブレチンと無水マレイン酸との共重合樹脂
・フェノール樹脂系接着剤：主成分はレゾール型フェノール樹脂
・ユリア樹脂系接着剤：主成分は尿素とホルムアルデヒドとの共重合樹脂
・レゾルシノール系接着剤：主成分はレゾルシノール樹脂またはフェノール・レゾルシノール樹
【００２６】
（水分散系）
・天然ゴムラテックス接着剤：主成分は天然ラテックス
・アクリル樹脂エマルジョン：主成分はアクリル樹脂エマルジョン
・ウレタン樹脂エマルジョン接着剤：主成分はウレタン樹脂エマルジョン
・エチレン-酢酸ビニル樹脂エマルジョン接着剤：主成分はエチレンビニルアルコールと酢酸ビニルを共重合させた樹脂のエマルジョン
・エポキシ樹脂エマルジョン接着剤：主成分はエポキシ樹脂エマルジョン
・水性高分子-イソシアネート系接着剤：主成分は各種親水性高分子の水溶液またはエマルジョン溶液と、架橋剤としてのイソシアネート化合物
・スチレン-ブタジエンゴム系ラテックス接着剤：主成分はラテックス状のスチレンとブタジエンとの共重合体
・ボリビニルアルコール系接着剤：主成分はポリビニルアルコール
【００２７】
図１０は、本実施形態に係る転写溶液塗布画像例を示す図である。図１０に示されるように、シート４０上の画像Ａ２に対して転写溶液が塗布されることで、画像Ａ２を形成している水性インクが当該接着剤に分散し又は溶けため、一層より複雑なマーブリング模様を有する画像Ａ３がシート４０上に得られる。
【００２８】
＜工程４＞
再び図９を参照する。最後に、作成者はシート４０のマーブリング模様（画像Ａ３）を媒体５０に転写する作業を実施する。即ち、作成者はシート４０を画像転写先の媒体５０に押し付けてからシート４０を取り剥がすことで画像Ａ３を媒体５０に転写し、媒体５０にマーブリング模様が描画される。なお、転写先の媒体側に転写溶液を先に塗布してからシート４０を押し付けてもよい。
【００２９】
図１１は、本実施形態に係る画像転写媒体例１を示す図である。図１１に示されるように、陶器皿である媒体５０上に画像Ａ３のマーブリング模様が転写されたことが分かる。マーブリング模様のインクが乾燥した後は、レジンやコート剤などでコーティングを施すことができる。
【００３０】
以上のように本実施形態によれば、簡易な構成によってマーブリング模様を作成することができる。また、作成者の熟練度が必ずしも高くなくとも、複雑なマーブリング模様を容易に作成することが可能となる。
【００３１】
図１２は、本実施形態に係る画像転写媒体例２を示す図である。図１２に示されるように、写真立枠である媒体５０上に画像Ａ３のマーブリング模様が転写された例が示されている。ここで転写作業に際し、写真立枠のように媒体５０の形状に合わせて転写しやすいよう、シート４０を適宜のサイズにカットすることも可能である。
【００３２】
また例えば、媒体５０がボトル状の口が小さい容器であって、容器内部にマーブリング模様を施す場合、シート４０をカットし、容器口から容器内部にシート４０を差し入れてから、容器内部にマーブリング模様を転写すればよい。また、シート４０をカットしなくとも、シート４０を折り曲げてから容器口から容器内部にシート４０を差し入れて、折り曲げられたシート４０を展開してから、容器内部にマーブリング模様転写することも可能である。
【００３３】
このように本実施形態に係るシート４０は、シートゆえその形状の変形が非常に容易なため、様々な媒体５０に対して柔軟にマーブリング模様を転写できる。また、壁や建築物など移動できないような不動産に対しても、その場でシートを持参しマーブリング模様を転写できる。即ち、様々な媒体５０にマーブリング模様を作成できるため、用途の汎用性も高い。
【００３４】
なお、本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００３５】
例えば、上述の工程１は省略可能であり、工程２からでもマーブリング模様を作成することは可能である。この場合、工程２では、工程１における画像に代えて所定（任意）の画像をシート４０に印刷しうる。
【符号の説明】
【００３６】
１０          ＰＣ
２０          撮像装置
３０          印刷装置
４０          シート
５０          媒体
【図１】
2019025667.tif 000003
【図２】
2019025667.tif 000004
【図３】
2019025667.tif 000005
【図４】
2019025667.tif 000006
【図５】
2019025667.tif 000007
【図６】
2019025667.tif 000008
【図７】
2019025667.tif 000009
【図８】
2019025667.tif 000010
【図９】
2019025667.tif 000011
【図１０】
2019025667.tif 000012
【図１１】
2019025667.tif 000013
【図１２】
2019025667.tif 000014
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
媒体にマーブリング模様を描画するマーブリング模様の作成方法であって、
コンピュータのディスプレイに表示されたモアレ縞を含む画像を撮像する工程と、
前記モアレ縞を含む画像を、水性インクを用いて撥水性シートに印刷する工程と、
前記シートに印刷された画像の上に、転写溶液を塗布する工程と、
前記転写溶液が塗布された画像を、前記シートから前記媒体に転写する工程と、
を含むことを特徴とするマーブリング模様の作成方法。
【手続補正２】
【補正対象書類名】明細書
【補正対象項目名】０００７
【補正方法】変更
【補正の内容】
【０００７】
上記の課題を解決するため、本発明に係るマーブリング模様の作成方法は、媒体にマーブリング模様を描画するマーブリング模様の作成方法であって、コンピュータのディスプレイに表示されたモアレ縞を含む画像を撮像する工程と、前記モアレ縞を含む水性インクを用いて撥水性シートに印刷する工程と、前記シートに印刷された画像の上に、転写溶液を塗布する工程と、前記転写溶液が塗布された画像を、前記シートから前記媒体に転写する工程と、を含む。